(57)【要約】【課題】トウ側及びヒール側に錘を設けた場合において、打球のコントロール性を向上すること。【解決手段】中空体と、前記中空体の内部においてトウ側及びヒール側にそれぞれ錘部を設けたウッド型のゴルフクラブヘッドにおいて、前記ゴルフクラブヘッドを、当該ゴルフクラブヘッドのフェース面と平行な仮想平面上に当該仮想平面に垂直な仮想線の方向に投影した場合、前記フェース面の中心の投影点を通過する垂直線及び水平線によって仮想的に分割される前記仮想平面上の４つの領域のうち、トウ側の前記錘部の投影点はトウ側の下側の領域に位置し、ヒール側の前記錘部の投影点はヒール側の上側の領域に位置していることを特徴とする。【選択図】図２
2007167622.tif 000002
【特許請求の範囲】
【請求項１】
中空体と、前記中空体の内部においてトウ側及びヒール側にそれぞれ錘部を設けたウッド型のゴルフクラブヘッドにおいて、
前記ゴルフクラブヘッドを、当該ゴルフクラブヘッドのフェース面と平行な仮想平面上に当該仮想平面に垂直な仮想線の方向に投影した場合、前記フェース面の中心の投影点を通過する垂直線及び水平線によって仮想的に分割される前記仮想平面上の４つの領域のうち、トウ側の前記錘部の投影点はトウ側の下側の領域に位置し、ヒール側の前記錘部の投影点はヒール側の上側の領域に位置していることを特徴とするゴルフクラブヘッド。
【請求項２】
トウ側の前記錘部は、ヒール側の前記錘部よりも重いことを特徴とする請求項１に記載のゴルフクラブヘッド。
【請求項３】
トウ側及びヒール側の前記錘部の合計重量が１０ｇ〜６０ｇの範囲内であることを特徴とする請求項１に記載のゴルフクラブヘッド。
【請求項４】
前記ゴルフクラブヘッドの重心の投影点は、前記フェース面の中心の前記投影点よりも３ｍｍ上方の点を中心点とした、６ｍｍ×６ｍｍの正方形である、前記仮想平面上の別の領域内に位置していることを特徴とする請求項１に記載のゴルフクラブヘッド。
【発明の詳細な説明】
【技術分野】
【０００１】
本発明は、ドライバーやフェアウェイウッド等のウッド型のゴルフクラブヘッドに関する。
【背景技術】
【０００２】
現在のウッド型ゴルフクラブヘッドは、チタン、ステンレスなどの各種金属材料から形成した金属タイプのものや、金属材料と樹脂材料を組合せたコンポジットタイプのものなど、多種多様な材料が採用されている。ウッド型ゴルフクラブヘッドの大半は、このような材料からなる中空体から構成されており、また、その容積の大型化が図られている。
【０００３】
この種のゴルフクラブヘッドにおいては、その重量配分の調整のため、その内部のトウ側及びヒール側にそれぞれ錘を設けたものが提案されている。重量配分を調整することにより、例えば、スイートスポットの位置や範囲を調整することができる。この種のゴルフクラブヘッドとして、例えば、特許文献１には、フェース面に近接したトウ側とヒール側にそれぞれ錘を設けたゴルフクラブヘッドが開示されている。
【０００４】
【特許文献１】特開平９−２５３２４１号公報
【発明の開示】
【発明が解決しようとする課題】
【０００５】
上記の錘はゴルフクラブヘッドの重量配分上、有効であるが、その配置によってはフェースローテーションを難しくする場合がある。このため、スイング中、積極的にフェースローテーションを行なうゴルファーにとってはゴルフクラブが扱い難くなり、打球のコントロール性を悪化させる場合がある。また、アベレージゴルファーであれば、フック系の打球が得られにくくなる。
【０００６】
そこで、本発明は、トウ側及びヒール側に錘を設けた場合において、打球のコントロール性を向上することにある。
【課題を解決するための手段】
【０００７】
本発明によれば、中空体と、前記中空体の内部においてトウ側及びヒール側にそれぞれ錘部を設けたウッド型のゴルフクラブヘッドにおいて、前記ゴルフクラブヘッドを、当該ゴルフクラブヘッドのフェース面と平行な仮想平面上に当該仮想平面に垂直な仮想線の方向に投影した場合、前記フェース面の中心の投影点を通過する垂直線及び水平線によって仮想的に分割される前記仮想平面上の４つの領域のうち、トウ側の前記錘部の投影点はトウ側の下側の領域に位置し、ヒール側の前記錘部の投影点はヒール側の上側の領域に位置していることを特徴とするゴルフクラブヘッドが提供される。
【発明の効果】
【０００８】
本発明によれば、トウ側及びヒール側に錘を設けた場合において、打球のコントロール性を向上することができる。
【発明を実施するための最良の形態】
【０００９】
以下、本発明の実施形態について図面を参照して説明する。図１は本発明の一実施形態に係るゴルフクラブヘッドＡの透視図であり、フェース面１１を透視した図である。ゴルフクラブヘッドＡは中空体１０と、中空体１０の内部に配設されたトウ側の錘部２０と、ヒール側の錘部３０と、を備える。ゴルフクラブヘッドＡはドライバであるが、本発明はフェアウエーウッド等の他の種類のウッド型のゴルフクラブに適用可能である。
【００１０】
中空体１０はゴルフボールの打面となるフェース面１１と、ゴルフクラブヘッドＡの上部を形成するクラウン部１２と、ゴルフクラブヘッドＡの底部を形成するソール部１３と、クラウン部１２とソール部１３とに連続するバック部１４及びサイド部１５と、シャフトが挿入されるホゼル部１６と、を備える。中空体１０は例えばチタン等の金属材料から形成される。中空体１０は例えば、フェース面１１を構成するフェース部材と、残りの部分を構成する部材とをそれぞれ製造した後、当該残りの部分を構成する部材にフェース部材を溶接することにより製造することができる。
【００１１】
ソール部１３には筒部１３ａが一体に形成されており、筒部１３ａの端部はバック部１４に一体に接続されて筒部１３ａの内部空間はバック部１４の外面に開口している。この筒部には弾性体が装填される。弾性体の装填により、インパクト時のゴルフクラブヘッドＡの振動を抑制し、打感を向上する。また、弾性体はゴルフクラブヘッドＡのバック部１４側の錘となってゴルフクラブヘッドＡの深重心化を図ることができる。深重心化は打球の上がり易さ、ボールのつかまり易さを向上する。
【００１２】
トウ側の錘部２０とヒール側の錘部３０とはゴルフクラブヘッドＡの重量配分を調整するために設けられている。本実施形態の場合、トウ側の錘部２０はソール部１３に、ヒール側の錘部３０はクラウン部１２に、それぞれ配設されている。本実施形態では錘部２０及び３０は、中空体１０とは別部材として中空体１０の内部に固定されているが、中空体１０の肉厚を部分的に厚くすることで形成してもよい。本実施形態のように別部材とする場合、錘部２０及び３０は、例えば、銅、銅合金（タングステン銅等）、ステンレス鋼、タングステン、タングステン合金（タングステンニッケル等）、真鍮、から形成することができ、比重は８以上のものとすることができる。また、錘部２０及び３０を別部材とする場合、その固定方法としては、中空体１０へのかしめ、圧入、溶接、螺着等が挙げられる。
【００１３】
一般にゴルフクラブヘッドでは低重心の方が打球があがり易い。従って、ソール部１３に設けられている錘部２０は、クラウン部１２に設けられている錘部３０よりも重くすることが望ましい。また、錘部２０及び３０を重くすると、ゴルフクラブヘッドＡの総重量が重くなってしまう。従って、錘部２０及び３０の合計重量は１０ｇ〜６０ｇの範囲内であることが望ましい。
【００１４】
次に、錘部２０及び３０の配設部位について説明する。図２（ａ）は錘部２０及び３０の配設部位の説明図である。まず、図２（ａ）に示すように、ゴルフクラブヘッドＡを、ゴルフクラブヘッドＡのフェース面１１と平行な仮想平面Ｓ上に仮想平面Ｓに垂直な仮想線ＶＬの方向に投影した場合を考える。図２（ｂ）はゴルフクラブヘッドＡが投影された仮想平面Ｓの説明図である。
【００１５】
図２（ｂ）に示すように、仮想平面Ｓをフェース面１１の中心ＣＦの投影点を通過する垂直線Ｌｖ及び水平線Ｌｈ（仮想平面Ｓを垂直に立てた場合の垂直線、水平線）によって、４つの領域Ｉ〜ＩＶに仮想的に分割する。そして、４つの領域Ｉ〜ＩＶのうち、トウ側の錘部２０の投影点（投影像）はトウ側の下側の領域である領域ＩＩＩに位置し、ヒール側の錘部３０の投影点（投影像）はヒール側の上側の領域である領域Ｉに位置するよう、錘部２０及び３０を配設する。この配設位置がもたらす作用について説明する。
【００１６】
一般に、ゴルフクラブヘッドはホゼル部の存在により、その重心はヒール側に寄る傾向があり、また、慣性の主軸はホゼル部の存在により、垂直方向（ヒール−クラウン方向）からホゼル部側に傾いたものとなる。錘部２０及び３０のような錘部の有無により慣性の主軸方向がほとんど変化しないとすると、錘部を慣性の主軸から遠い位置に設けると、慣性の主軸回りにゴルフクラブヘッドが回転しずらくなくことからフェースローテーションが難しくなる（重くなる）。逆に、近い位置に設ければ錘部を設けたことに起因して慣性の主軸回りにゴルフクラブヘッドが回転しずらくなることを低減できる。
【００１７】
図２（ａ）及び（ｂ）は本実施形態のゴルフクラブヘッドＡの重心位置（図２（ａ）においてＺで示す。）及び慣性の主軸Ｍａを模式的に示しており、ゴルフクラブヘッドＡの慣性の主軸Ｍａはホゼル部１６側に傾いている。しかして、錘部２０及び３０を上記の配置とすることにより、錘部２０及び３０が慣性の主軸Ｍａの近傍に配置されるので、慣性の主軸Ｍａ回りにゴルフクラブヘッドが回転しずらくなることを低減できる。
【００１８】
つまり、図２（ｂ）に示す４つの領域のうち、領域Ｉ及びＩＩＩに錘部２０及び３０を配設すれば、領域ＩＩ及びＩＶに配設する場合よりも主軸Ｍａの近傍にこれらが配設され、フェースローテーションを行い易くなる。この配置により、意識的にフェースローテーションを行ないたい場合にこれが容易になり、打球のコントロール性を向上することができる。
【００１９】
なお、ゴルフクラブヘッドＡの重心Ｚの仮想平面Ｓに対する投影点は、図２（ｂ）に示すように、フェース面１１の中心ＣＦの投影点よりも３ｍｍ上方の点を中心点とした、６ｍｍ×６ｍｍの正方形である、仮想平面Ｓ上の領域Ｖ内に位置していることが望ましい。アベレージゴルファーは、打点をフェース面１１の中心ＣＦに合わせようとする傾向があるところ、仮想平面Ｓに対する投影点が領域Ｖにあると（すなわち、フェース面１１上の重心位置が中心ＣＦよりも少し上にあると）、最も長い飛距離を得られる。
【００２０】
本発明において、フェース面１１の中心ＣＦは以下のように定める。図３（ａ）及び（ｂ）は中心ＣＦの説明図である。中心ＣＦは、始めにフェース面１１を仮想的な目標方向に垂直となるようにあわせたのち、ゴルフクラブヘッドＡを有するゴルフクラブに規定されたライ角θにて水平な接地面ＧＬにゴルフクラブヘッドＡをソールする。ライ角θはシャフトの軸線Ｓａと接地面ＧＬとがなす角度であり、そのゴルフクラブに規定されていない場合は一律５７°とする。
【００２１】
この状態にてフェース面１１の最下点ＢＦを決定する。最下点が一定の領域に渡る場合はその中央とする。次に、最下点ＢＦの上方のフェース面１１の上縁の点を最上点ＴＦとする。最下点ＢＦと最上点ＴＦとの高さの差Ｈの１／２に相当する最下点ＢＦ上方の位置を中心ＣＦとする。
【実施例】
【００２２】
本発明の実施例と、比較例１及び２とを用いたゴルフクラブの試打試験を行なった。図４は比較例１のゴルフクラブヘッドの透視図であり、トウ側の錘部１２０とヒール側の錘部１３０の配設部位を示す。比較例１のゴルフクラブヘッドは図２（ｂ）で言うとトウ側の錘部１２０が領域ＩＩに、ヒール側の錘部１３０が領域ＩＶに配設されており、錘部１２０はクラウン部に、錘部１３０はソール部に固定されている。比較例２のゴルフクラブヘッドはトウ側及びヒール側の錘部を設けなかったものである。
【００２３】
図６（ａ）は実施例、比較例１及び２の仕様を示す。図５（ａ）及び（ｂ）は図６（ａ）に示すパラメータの一部の説明図である。ＤＸＧ、ＤＹＧはフェース面の中心と、ゴルフクラブヘッドの重心Ｚをフェース面に垂直な方向でフェース面に投影した投影点Ｚ’との距離を示しており、ＤＸＧは水平方向の距離、ＤＹＧは垂直方向の距離（高さの差）である。ＺＧはゴルフクラブヘッドの重心Ｚとフェース面との最短距離である。ＨＧは接地面ＧＬから投影点Ｚ’までの高さ、ＨＧＲは接地面ＧＬから重心Ｚまでの高さである。ＩＸはゴルフクラブヘッドの水平軸周りの慣性モーメント、ＩＹは垂直軸周りの慣性モーメントである。
【００２４】
試打はプロゴルファーに依頼して行なった。図６（ｂ）は試打結果を示す。図６（ｂ）において「キャリー」は打席からボールの落下点までの距離、「飛距離」はキャリーに、落下点から転がった距離を加算したトータルの距離である。「サイドスピン量」のマイナス（−）符号はボールの回転方向を示し、マイナスがフック回転である。「ブレ」は、打球の目標方向とボールの落下点との最短距離を示し、今回の試打ではいずれも目標方向よりも右にボールが落下した。
【００２５】
試打結果を見ると、「ヘッドスピード」、「ボール初速度」、「打ち出し角」において、実施例、比較例１及び２において大差はない。「サイドスピン量」では実施例が最も小さく、かつ、フック回転である。「キャリー」、「ブレ」及び「飛距離」においては実施例が比較例１及び２よりも上回っている。
【００２６】
試打を行なったプロゴルファーは、実施例のゴルフクラブヘッドは、ヘッドの重さやヘッドの遅れを感じることなく、比較例１及び２に比べてボールのつかまりがよいと評価した。
【００２７】
実施例、比較例１及び２の仕様を比較すると、実施例と比較例１とにおいて目立った差はない。しかしながら試打結果で実施例の方が比較例１よりも良い結果であったことはトウ側及びヒール側の錘部の配置に依存しているものと考えられる。試打を行なったプロゴルファーの評価も考慮すると、実施例のゴルフクラブヘッドを用いたゴルフクラブでは比較例１及び２のゴルフクラブヘッドを用いたゴルフクラブよりもフェースコントロールが容易であったと考えられる。
【図面の簡単な説明】
【００２８】
【図１】図１は本発明の一実施形態に係るゴルフクラブヘッドＡの透視図である。
【図２】（ａ）は錘部２０及び３０の配設部位の説明図、（ｂ）はゴルフクラブヘッドＡが投影された仮想平面Ｓの説明図である。
【図３】（ａ）及び（ｂ）はフェース面１１の中心ＣＦの説明図である。
【図４】比較例１のゴルフクラブヘッドの透視図である。
【図５】（ａ）及び（ｂ）は図６（ａ）に示すパラメータの一部の説明図である。
【図６】（ａ）は実施例、比較例１及び２の仕様を示し、（ｂ）は試打結果を示す。
【符号の説明】
【００２９】
Ａ  ゴルフクラブヘッド
１０  中空体
２０、３０  錘部
【図１】
2007167622.tif 000003
【図２】
2007167622.tif 000004
【図３】
2007167622.tif 000005
【図４】
2007167622.tif 000006
【図５】
2007167622.tif 000007
【図６】
2007167622.tif 000008